【事件の表示】
　特許第６４０６７８５号発明「散薬分包機」の特許異議申立事件について、次のとおり決定する。
【結　論】
　特許第６４０６７８５号の特許請求の範囲を訂正請求書に添付された訂正特許請求の範囲のとおり、訂正後の請求項［１−５］、６について訂正することを認める。
　特許第６４０６７８５号の請求項１、５、６に係る特許を維持する。
　特許第６４０６７８５号の請求項２〜４に係る特許についての特許異議の申立てを却下する。
【理　由】
第１　手続の経緯 
　特許第６４０６７８５号（以下、「本件特許」という。）の請求項１〜６に係る特許についての出願は、平成３０年７月３日の出願であって、平成３０年９月２８日にその特許権の設定登録がされ、平成３０年１０月１７日に特許掲載公報が発行されたものである。
　その後、その請求項１〜６に係る特許に対し、平成３１年４月１６日に特許異議申立人　井上伊幸（以下、「特許異議申立人」という。）により特許異議の申立てがされ、令和１年６月１２日付けで取消理由が通知され、令和１年８月６日に特許権者である株式会社トーショーより意見書の提出及び訂正の請求（以下、当該訂正の請求を「本件訂正請求」という。）がなされ、本件訂正請求に関して期間を指定し、特許異議申立人に意見を求めたが、特許異議申立人から何らの応答がなかったものである。
第２　訂正の適否について
１　訂正の内容
　本件訂正請求による訂正の内容は、以下のとおりである。（下線は訂正箇所を示す。）
（１）訂正事項１
　訂正前の特許請求の範囲の請求項１に
「散薬容器移送装置とを有することを特徴とする散薬分包機。」
と記載されているのを、
「散薬容器移送装置とを有
し、
　更に、前記散薬収容容器と前記散薬一時保管容器との、前記散薬容器棚に載置される部分の形状が同一であり、
　更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置し、
　更に、前記散薬放出部において計量ミスのあることが判明した前記散薬一時保管容器を前記散薬容器移送装置により、前記散薬容器棚に移送することを特徴と
と訂正する。
　また、請求項１の記載を引用する請求項５も同様に訂正する。
（２）訂正事項２
　特許請求の範囲の請求項２を削除する。
（３）訂正事項３
　特許請求の範囲の請求項３を削除する。
（４）訂正事項４
　特許請求の範囲の請求項４を削除する。
（５）訂正事項５
　訂正前の特許請求の範囲の請求項６に
「散薬容器移送装置とを有することを特徴とする散薬計量放出装置。」
と記載されているのを、
「散薬容器移送装置とを有
し、
　更に、前記散薬収容容器と前記散薬一時保管容器との、前記散薬容器棚に載置される部分の形状が同一であり、
　更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置し、
　更に、前記散薬放出部において計量ミスのあることが判明した前記散薬一時保管容器を前記散薬容器移送装置により、前記散薬容器棚に移送することを特徴と
と訂正する。
２　訂正の目的、一群の請求項、新規事項の有無、及び特許請求の範囲の拡張・変更の存否
（１）訂正事項１について
　訂正事項１に係る訂正は、訂正前の請求項１に係る発明の特定事項である、散薬収容容器と散薬一時保管容器との、散薬容器棚に載置される部分の形状に関して、「同一」と限定するものであるとともに、散薬容器棚に散薬収容容器及び／または散薬一時保管容器が載置された状態に関して、「機械前面に略平面状に配置され」るものと限定し、散薬容器棚に散薬収容容器及び／または散薬一時保管容器のうち処置を必要とするものに関し、「目視及び着脱可能な場所に配置」されると限定し、散薬放出部において計量ミスのあることが判明した散薬一時保管容器に関して、「散薬容器移送装置により、散薬容器棚に移送する」と限定するものである。
　したがって、訂正事項１は、特許請求の範囲の減縮を目的とするものであるといえるので、特許法第１２０条の５第２項ただし書第１号に掲げる事項を目的とするものに該当する。
　また、訂正事項１に係る訂正は、願書に添付した特許請求の範囲の請求項２の「前記散薬収容容器と前記散薬一時保管容器との、前記散薬容器棚に載置される部分の形状が同一である」との記載、願書に添付した特許請求の範囲の請求項３の「前記散薬容器棚に容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置する」との記載及び願書に添付した特許請求の範囲の請求項４の「前記散薬放出部において計量ミスのあることが判明した前記散薬一時保管容器を前記散薬容器移送装置により、前記散薬容器棚に移送する」との記載に基くものであるから、願書に添付した明細書、特許請求の範囲又は図面に記載した事項の範囲内でしたものであって、新規事項の追加に該当せず、また、実質上特許請求の範囲を拡張し、又は変更するものでもない。
　請求項１の記載を引用する請求項５についても同様である。
（２）訂正事項２について
　訂正事項２に係る訂正は、請求項２を削除するという訂正であるから、特許法第１２０条の５第２項ただし書第１号に規定する、特許請求の範囲の減縮を目的とするものである。
　また、訂正事項２に係る訂正は、願書に添付した明細書、特許請求の範囲又は図面に記載した事項の範囲内でしたものであって新規事項の追加に該当せず、また、実質上特許請求の範囲を拡張し、又は変更するものでもない。
（３）訂正事項３について
　訂正事項３に係る訂正は、請求項３を削除するという訂正であるから、特許法第１２０条の５第２項ただし書第１号に規定する、特許請求の範囲の減縮を目的とするものである。
　また、訂正事項３に係る訂正は、願書に添付した明細書、特許請求の範囲又は図面に記載した事項の範囲内でしたものであって新規事項の追加に該当せず、また、実質上特許請求の範囲を拡張し、又は変更するものでもない。
（４）訂正事項４について
　訂正事項４に係る訂正は、請求項４を削除するという訂正であるから、特許法第１２０条の５第２項ただし書第１号に規定する、特許請求の範囲の減縮を目的とするものである。
　また、訂正事項４に係る訂正は、願書に添付した明細書、特許請求の範囲又は図面に記載した事項の範囲内でしたものであって新規事項の追加に該当せず、また、実質上特許請求の範囲を拡張し、又は変更するものでもない。
（５）訂正事項５について
　訂正事項５に係る訂正は、訂正前の請求項６に係る発明の特定事項である、散薬収容容器と散薬一時保管容器との、散薬容器棚に載置される部分の形状に関して、「同一」と限定するとともに、散薬容器棚に散薬収容容器及び／または散薬一時保管容器が載置された状態に関して、「機械前面に略平面状に配置され」ると限定し、散薬容器棚に載置された散薬収容容器及び／または散薬一時保管容器に関し、処置を必要とするものを「目視及び着脱可能な場所に配置」されると限定し、散薬一時保管容器に関して、散薬放出部において計量ミスのあることが判明した散薬一時保管容器を、「散薬容器移送装置により、散薬容器棚に移送する」と限定するものである。
　したがって、訂正事項５は、特許請求の範囲の減縮を目的とするものであるといえるので、特許法第１２０条の５第２項ただし書第１号に掲げる事項を目的とするものに該当する。
　また、訂正事項５に係る訂正は、願書に添付した特許請求の範囲の請求項２の「前記散薬収容容器と前記散薬一時保管容器との、前記散薬容器棚に載置される部分の形状が同一である」との記載、願書に添付した特許請求の範囲の請求項３の「前記散薬容器棚に容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置する」との記載及び願書に添付した特許請求の範囲の請求項４の「前記散薬放出部において計量ミスのあることが判明した前記散薬一時保管容器を前記散薬容器移送装置により、前記散薬容器棚に移送する」との記載に基くものであるから、願書に添付した明細書、特許請求の範囲又は図面に記載した事項の範囲内でしたものであって、新規事項の追加に該当せず、また、実質上特許請求の範囲を拡張し、又は変更するものでもない。
（６）一群の請求項
　訂正前の請求項１〜５について、請求項２〜５はそれぞれ請求項１を引用するものであって、訂正事項１によって記載が訂正される請求項１に連動して訂正されるものである。したがって、訂正前の請求項１〜５は、特許法第１２０条の５第４項に規定する一群の請求項である。
　よって、訂正事項１〜４は、一群の請求項１〜５について請求されたものである。
３　小括
　したがって、本件訂正は、特許法第１２０条の５第２項ただし書第１号に掲げる事項を目的とするものであり、かつ、同条第４項の規定、同条第９項で準用する同法第１２６条第５項及び第６項の規定に適合するものであるから、訂正後の請求項［１〜５］、６について訂正することを認める。
第３　特許異議の申立てについて
１　本件発明
　上記第２のとおり、本件訂正は認められるので、本件特許の請求項１、５、６に係る発明（以下、それぞれ「本件発明１」、「本件発明５」、「本件発明６」という。これらをまとめて「本件発明」ということもある。）は、令和１年８月６日提出の訂正請求書に添付した訂正特許請求の範囲１、５、６に記載された事項により特定される次のとおりのものである。
「【請求項１】
−散薬を収容し、それを排出口から放出できる散薬収容容器と、
−前記散薬収容容器を載置し、そこから散薬を放出できる第１の散薬放出部と、
−前記第１の散薬放出部から放出された散薬を一時保管できる散薬一時保管容器と、
−前記散薬一時保管容器を載置し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記第２の散薬放出部から放出された散薬を包装する散薬包装装置と、
−前記散薬収容容器と前記散薬一時保管容器との両方を載置可能な散薬容器棚と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置とを有し、
　更に、前記散薬収容容器と前記散薬一時保管容器との、前記散薬容器棚に載置される部分の形状が同一であり、
　更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置し、
　更に、前記散薬放出部において計量ミスのあることが判明した前記散薬一時保管容器を前記散薬容器移送装置により、前記散薬容器棚に移送することを特徴とする散薬分包機。
【請求項５】
−前記散薬収容容器に付された収容された散薬に関連付けた自動読取可能な符号と、
−前記散薬一時保管容器に付された保管された散薬に関連付けた自動読取可能な符号と、
−前記散薬容器棚、前記散薬計量部、前記第１の散薬放出部、前記第２の散薬放出部のいずれか一つ以上に設けた前記符号を読み取る符号読取部と
を有し、読み取った符号の内容に対応して、前記散薬収容容器または前記散薬一時保管容器の移送先を定めることを特徴とする請求項１に記載の散薬分包機。
【請求項６】
−収容された散薬を収容し、それを排出口から放出できる散薬収容容器を載置し、そこから散薬を放出できる第１の散薬放出部と、
−前記第１の散薬放出部から放出された散薬を一時保管できる散薬一時保管容器を保持し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記散薬収容容器と前記散薬一時保管容器との両方を載置可能な散薬容器棚と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置とを有し、
　更に、前記散薬収容容器と前記散薬一時保管容器との、前記散薬容器棚に載置される部分の形状が同一であり、
　更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置し、
　更に、前記散薬放出部において計量ミスのあることが判明した前記散薬一時保管容器を前記散薬容器移送装置により、前記散薬容器棚に移送することを特徴とする散薬計量放出装置。」
２　取消理由通知に記載した取消理由の概要
　本件発明に係る特許に対して、上記令和１年６月１２日付けで特許権者に通知した取消理由の要旨は、本件特許は、特許請求の範囲の記載が不備のため、特許法第３６条第６項第１号に規定する要件を満たしていないから、取り消すべきものである、というものである。
３　取消理由についての検討
（１）取消理由の内容
　本件発明に係る発明が解決しようとする課題は、段落【００１３】の記載から、「機械前面から、処理が必要な散薬収容容器を目視し脱着することができる散薬分包機を提供すること」（以下「課題１」という。）、及び、「計量不良発生時に自動でロスの発生がなく散薬の回収ができる散薬分包機を提供すること」（以下「課題２」という。）であると認められる。
　本件特許明細書等には、散薬収容容器と散薬一時保管容器との、散薬容器棚に載置される部分の形状が同一であること（段落【００１８】参照。）を前提として、課題１の解決手段として、散薬容器棚に容器が載置された状態が、機械前面に若干の円弧状、多角形状に前に凸あるいは後ろに凸に湾曲した形状を含む略平面状に配置されること（段落【００２０】、【０１３７】参照。）及び散薬容器棚に載置された散薬収容容器、散薬一時保管容器のうち、処置を必要とするものを目視及び脱着の可能な場所に配置すること（段落【００２０】、【００２１】参照。）が必要であり、課題２の解決手段として、散薬放出部において計量ミスのあることが判明した散薬一時保管容器を散薬容器移送装置により、散薬容器棚に移送すること（段落【００２２】、【００２３】参照。）が必要であるものの、本件発明には当該課題１及び課題２の解決手段が反映されていないことから、特許法第３６条第６項第１号の規定を満たしていない、というものである。
（２）判断
　本件訂正により、本件発明は上述の課題解決手段である、「散薬収容容器と散薬一時保管容器との、散薬容器棚に載置される部分の形状が同一であり、散薬容器棚に散薬収容容器及び／又は散薬一時保管容器が載置された状態が、機械前面に若干の円弧状、多角形状に前に凸あるいは後ろに凸に湾曲した形状を含む略平面状に配置され、散薬容器棚に載置された散薬収容容器、散薬一時保管容器のうち、処置を必要とするものを目視及び脱着の可能な場所に配置し、散薬放出部において計量ミスのあることが判明した散薬一時保管容器を散薬容器移送装置により、散薬容器棚に移送する」点について特定する訂正がなされ、上記取消理由は解消されたため、本件発明に係る特許請求の範囲の請求項の記載は、特許法第３６条第６項第１号の規定を満たしていないとはいえない。
４　取消理由通知において採用しなかった特許異議申立理由について
　取消理由通知において採用しなかった特許異議申立理由は、次の理由１〜４である。
（１）理由１　特許法第２９条第１項第３号について（同法第１１３条第２号）
　本件発明１、５、６は、甲第１号証に開示されたものであって、特許法第２９条第１項第３号の規定に違反してされたものであるから、本件特許は取り消すべきものである。
（２）理由２　特許法第２９条第２項について（同法第１１３条第２号）
ア　本件発明１、５、６は、甲第１号証に記載された発明に基いて、当業者が容易に発明をすることができたものである。また、本件発明５は、甲第１号証及び甲第２号証に記載された発明に基いて、当業者が容易に発明をすることができたものであって、特許法第２９条第２項の規定に違反してされたものであるから、本件特許は取り消すべきものである。
イ　本件発明１、６は、甲第２号証に記載された発明及び甲第３号証〜甲第９号証に記載された周知の技術に基いて、当業者が容易に発明をすることができたものである。また、本件発明５は、甲第２号証及び甲第１号証に記載された発明及び甲第３号証〜甲第９号証に記載された周知の技術に基いて、当業者が容易に発明をすることができたものであって、特許法第２９条第２項の規定に違反してされたものであるから、本件特許は取り消すべきものである。
（３）理由３　特許法第２９条の２について（同法第１１３条第２号）
　本件発明１、６は、本件発明に係る特許出願の日前の他の特許出願であって、その出願後に出願公開がされた特願２０１８−５４０７号（以下「先願」という。甲第１０号証参照。）の願書に最初に添付された明細書、特許請求の範囲又は図面に記載された発明と同一であり、しかも、本件発明１、６に係る発明をした者が先願に係る上記の発明をした者と同一でなく、また、本件発明の出願の時において、本件発明の出願人が先願の出願人と同一でもないので、特許法第２９条の２の規定に違反してされたものであるから、本件特許は取り消すべきものである。
（４）理由４　特許法第３６条第６項第２号について（同法第１１３条第４号）
　本件特許は、特許請求の範囲の記載が不備のため、特許法第３６条第６項第２号に規定する要件を満たしていない特許出願に対してされたものであるから、取り消すべきものである。
甲第１号証：特開平１１−２２６０８６号公報
甲第２号証：国際公開第２０１５／１４１６６０号
甲第３号証：特開平５−８８４２号公報
甲第４号証：特開昭６４−５９０１５号公報
甲第５号証：特開平５−２８５１９８号公報
甲第６号証：特開平５−２８５２０２号公報
甲第７号証：特開平７−８００４４号公報
甲第８号証：特開平１１−１１４０２４号公報
甲第９号証：特開平３−１７７２１０号公報
甲第１０号証：特開２０１８−１１４２８１号公報
５　申立理由についての当審の判断
（１）理由１、２について
ア　甲第１号証及び甲第１号証に記載された発明について
（ア）甲第１号証に記載された事項
　甲第１号証（特開平１１−２２６０８６号公報）には、図面とともに次の記載がある。
「【０００１】
【発明の属する技術分野】この発明は、散薬供給装置に関し、詳しくは、ストックしている多くの散薬から適宜の散薬を散薬分包処理等へ適量供給する散薬供給装置に関する。」
「【０００７】この発明は、このような課題を解決するためになされたものであり、各種の散薬を適量だけ取り出して供給するのを自動で行う散薬供給装置を実現することを目的とする。」
「【０００９】本発明の散薬供給装置は（、出願当初の請求項１に記載の如く）、多数の散薬カセットと、これらの散薬カセットを移動させるカセット移動機構と、前記散薬カセットから取り出した散薬を受ける散薬容器を移送する搬送機構とを備えた散薬供給装置であって、前記搬送機構はその搬送経路が一巡するものであることを特徴とする。
【００１０】このような構成の散薬供給装置にあっては、各種の散薬は、多数の散薬カセットに分けて収容され、処方情報等に応じて適宜そこから取り出されるため、計量装置や分割装置さらには分包機などの後続装置への散薬供給が自動で行われる。しかも、散薬カセットから散薬容器に対する散薬取り出し位置までは散薬カセットに収容されたままで運ばれるので、この間は未だ閉じ込められている。そして、該当散薬カセットが散薬の取出位置まで移動してから必要な散薬が散薬容器へ取り出され、この散薬容器が移動することで、各種の散薬が集められるとともに後続装置への散薬供給等も行われる。また、散薬を運んだ散薬容器は、搬送機構によって次々に搬送され、後続装置等への散薬供給位置まで移送された後、搬送経路を一巡して戻されることとなる。」
「【００２０】この散薬供給装置は、図中、左から右に、カップ供給ユニットＡ、カセット収納ユニットＢ（収納庫）、カセット収納ユニットＣ（収納庫）、カップ昇降ユニットＤ、そしてカップ還流ユニットＥが順に配置連結されたものであり、さらにカップ還流ユニットＥの下方には散薬分包ユニットＦも配置されている（図２参照）。
【００２１】カップ供給ユニットＡには、調剤のためにカセット３０から取り出した散薬を入れて搬送したり計量したりするためのカップ１（散薬容器）を供給するカップ供給機構１４が設けられている（図２参照）。また、その上方には、カップ１を収容する際にその上下を反転させるカップ収納機構１１４も設けられている。そして、カップ供給機構１４とカップ収納機構１１４との間に、供給を待つ多数のカップ１が逆さに積み重なって保持されるようになっている。
【００２２】カセット収納ユニットＢには、下方に横たわる搬送機構１０（散薬容器供給用搬送装置）と、縦に長いループ状のチェイン等からなるカセット循環機構２０（カセット移動機構）と、カセット循環機構２０に対しほぼ等間隔で取着された複数個のカセット３０（散薬カセット）と、電子秤５０（計量装置）とが設けられている。さらに、駆動部４０（散薬取り出しの駆動機構）や、リーダライタ５２（データアクセス装置）、リーダライタ５４（データ読取装置）、リーダ５６（データ読取装置）、リーダ５８（データ読取装置）なども設けられている（図２参照）。
【００２３】カセット収納ユニットＣは、カセット収納ユニットＢと同じ構造のユニットである。これらは、散薬の種類そして散薬カセットの必要数に対応して、必要なユニット数が左右に連結されるようになっている（図２参照）。これにより、多数の散薬カセット３０が複数の収納庫Ｂ，Ｃに分離して収納されるようになっている。また、これらのカセット収納ユニットＢ及びカセット収納ユニットＣには、上方に横たわる搬送機構１１０（散薬容器還流用搬送装置）も設けられ、これには電子秤１５０（計量装置）やリーダライタ１５２（データアクセス装置）なども付設されている（図１，図２参照）。
【００２４】カップ昇降ユニットＤには、供給されたカップ１を乗せて搬送機構１０のところから上側で上下移動するカップ昇降機構１５と、還流されるカップ１を乗せて搬送機構１１０のところから下側で上下移動するカップ昇降機構１１５と、清掃装置１３０とが設けられている（図１，図２参照）。カップ還流ユニットＥは、その下部すなわち装置全体としては中間の高さに当たるところに、供給されたカップ１が折り返して還流されるように搬送機構１０及び搬送機構１１０が並行に設けられている（図１，図２参照）。なお、カップ還流ユニットＥ上部の空いているところには、電源部２やコントローラ８０が格納されている。
【００２５】散薬分包ユニットＦには、各カセット３０から計量等して取り出された散薬を均等に分割して包装するために、フィーダ６０（振動フィーダ）と、散薬分包機７０（分割装置）とが、設けられている（図１，図２参照）。散薬分包機７０は、その本体部７１内に、断面が円弧状に窪んだ環状凹溝７２を具えた回転体と、散薬の配分時に回転体を定速回転させるとともに散薬の分割時に分割数に応じた角度ずつ回転体を回動させる図示しない駆動装置とを具えている。また、散薬分包機７０は、回転体の内側から環状凹溝上へ突き出して設けられた切出装置７３も具えており、この切出装置７３は、環状凹溝７２の円弧状内側面に接触する円形の仕切板の側面に、所定幅の切出板が形成されたものであり、仕切板が環状凹溝７２の円弧状内側面に治って１回転すると、切出板がその幅相当分に集められた散薬を環状凹溝７２から切り出して包装装置のホッパ７４に導入するようになっている（図２参照）。」
「【００２７】カップ１は、散薬の計量や搬送の際に散薬が舞い散らないように深めに形成された容器であり、その底部には、収容した散薬についての薬剤情報や計量値などを記憶させるためのデータキャリア３（データ記憶体）が取り付けられている（図４参照）。データキャリア３は、後述の非接触結合素子５３，５９，１５３に近接すると磁気的結合等に基づいてエネルギー供給を伴ったリーダライタ５２や，リーダ５８，リーダライタ１５２によるデータアクセスを受ける。このように、カップ１（計量容器を兼ねた散薬容器）は、データ記憶体の付いたものとなっている。」
「【００２９】搬送機構１１０は、搬送機構１０と同様のものであるが、カップ１を逆方向へ搬送して戻すために、ベルト１１１の送り方向がベルト１１とは反対になっている。また、ベルト１１１の長さ等も搬送距離等に適合するよう適宜の長さに設定されている。そして、これらの搬送機構は、以下の昇降機構等が加って、一巡する。具体的には、カップ供給機構１４（ユニットＡ）と、搬送機構１０（ユニットＢ，Ｃ）と、カップ昇降機構１５（ユニットＤ）と、搬送機構１０（ユニットＥ）と、搬送機構１１０（ユニットＥ）と、カップ昇降機構１１５（ユニットＤ）と、搬送機構１１０（ユニットＣ，Ｂ）と、カップ収納機構１１４（ユニットＡ）とにより、カップ１の搬送経路が一巡するようになっている（図１参照）。」
「【００３２】カセット３０は、散薬を取り出し可能にストックするために、散薬ストック部３３と、その下方の排出部とから構成されている（図４参照）。散薬ストック部３３は、縦向きの円筒形に構成され、その底部に攪拌羽根３２が配置されている。攪拌羽根３２は、円錐形部分を中心としてそれから２枚が互いに１８０゜隔てて半径方向外方へ延び、しかも、外方へ行くにしたがって回転方向に対して後退する方向に湾曲して形成されている。カセット３０の排出部には、散薬ストック部３３の下方正面においてその半径方向に沿って横向きに小径円筒の排出路３５が形成されており、この排出路３５と散薬ストック部３３とは、散薬ストック部３３の底面外周付近に形成された連通路３４によって互いに通じている。」
「【００３５】さらに、カセット３０は、それぞれ、その底部等に、ストックしている散薬についての薬剤情報やストック量などを記憶させるためのデータキャリア３６（データ記憶体）が取り付けられている（図４参照）。データキャリア３６は、後述の非接触結合素子５５，５７に近接すると磁気的結合等に基づいてエネルギー供給を伴ったリーダライタ５４やリーダ５６によるデータアクセスを受ける（図２参照）。このように、カセット３０（散薬カセット）は、個々に、データ記憶体の付いたものとなっている。
【００３６】カセット循環機構２０は、収納庫Ｂ，Ｃのそれぞれに設けられており、いずれにも、複数のカセット３０のうち該当収納庫内のものが取着されている（図２参照）。各カセット循環機構２０は、該当収納庫内において、上下あるいは左右の駆動輪２２及び従動輪２３に亘ってチェーン２１等の無端条帯が張設されたものであり、電動モータ２４によって駆動輪２２が回転駆動されると、その回転方向に応じてチェーン２１が正逆双方向に循環する（図３参照）。また、チェーン２１にはカセット３０を着脱可能に支持する支持体が所定のピッチで配置されており、装着されたカセット３０もチェーン２１の循環に伴って循環させられる。その循環ループの最下方で搬送機構１０に最接近するところは、散薬取り出し位置とされる。これにより、カセット循環機構２０（カセット移動機構）は、散薬カセットのうち該当収納庫内のものを順に散薬取り出し位置へ移動させるものとなっている。」
「【００３８】電子秤５０は、散薬取り出し位置に来たカセット３０の少し下のところで、搬送機構１０の上下のベルト１１の間に設置されている（図３参照）。電子秤５０には、単独で或いは本体と共に昇降しうる支承片５１が設けられていて、上昇したときだけ、ベルト１１でカセット３０の排出路３５の出口直下へ搬送されて来たカップ１を、ベルト１１の切れ目から支承して、その重さを秤量する（図４参照）。そして、カセット３０からそこのカップ１へ散薬が取り出されると、その散薬の分だけ秤量値も増加する。これにより、電子秤５０（計量装置）は、散薬カセット３０から取り出した散薬を計量するものとなっている。」
「【００４１】さらに、図示しない前扉にはカセット３０の出し入れ可能な開口窓が形成されており、空のカセット３０をカセット循環機構２０から取り外したり、散薬補充後のカセット３０をカセット循環機構２０へ装着させたりするのは、通常、その開口窓を介して行われる。そして、この開口窓の奥の方には、リーダ５６が設置され、その非接触結合素子５７が非接触でそこのカセット３０のデータキャリア３６と交信可能に結合しうるところに設けられる（図２参照）。これにより、リーダ５６（データ読取装置）は、カセット移動機構に対して散薬カセットを着脱させるところに配置されたものとなっている。
【００４２】フィーダ６０は、カセット３０からカップ１へ取り出されカップ１と共に搬送機構１０等によって搬送されて来た散薬を散薬分包機７０（分割装置）へ送り込むため、カップ還流ユニットＥにおける搬送機構１０の途切れたところであって散薬分包機７０の上方に当たるところに設けられる（図２参照）。そして、フィーダ６０の近傍には図示しないアーム等も設けられていて、カップ還流ユニットＥの搬送機構１０がカップ１をフィーダ６０のところまで搬送して来たときに、そのアーム等によって、カップ１のデータキャリア３とリーダ５８の非接触結合素子５９との結合可能なところへカップ１が運ばれ、さらに、カップ１内の散薬がフィーダ６０のホッパ６１内へ移し替えられるようになっている（図５参照）。
【００４３】このフィーダ６０は、カップ１から移された散薬を受けるホッパ６１と、ホッパ６１から散薬を散薬分包機７０の環状凹溝７２へ送り込むための案内部６２と、その送り込みを定量で均一に行わせるため案内部６２等へ与える振動を発生する振動体６３とからなっており、振動体６３は発振回路６４から受けた発振信号と同じ周波数で振動する。この発振回路６４は、コントローラ８０からの制御信号に従って発振周波数を変えるものである。これにより、フィーダ６０（振動フィーダ）は、振動周波数の可変なものとなっている。」
「【００５６】そうすると、カセット収納ユニットＢ，Ｃのリーダライタ５４によって第３，第１のカセット３０のデータキャリア３６から薬剤情報が読み出される。そして、散薬取出ルーチン８５によってその薬剤情報と散薬データ９１や処方データ９２とのつき合わせチェックが行われ、不一致のときにはエラー処理に移行する。こうして、散薬取り出し位置のカセット３０が適切なものか否かの確認がなされる。例えば、コントローラ８０のダウン中など管理不能な状態でカセット３０の不適切な入れ替え等が行われていたような場合、エラーとなる。」
「【００５８】このとき同時に、計量ルーチン８６の制御に従い、該当する電子秤５０によって、第１，第３のカップ１の計量も行われる。そして、散薬の取り出し量が所要量に達すると、計量ルーチン８６及び散薬取出ルーチン８５の協動によって散薬の取り出しが止められる。さらに、計量ルーチン８６の処理によって、その取り出した散薬の量が各カップ１のデータキャリア３に書き込まれる。散薬データ９１等に保持されている他の関連情報、例えば、その散薬をフィーダ６０で送給するのに適したフィーダ６０の振動周波数の範囲などの情報も、併せて書き込まれる。」
「【００６１】また、この移し替えに際し、第１，第２のカップ１のそれぞれのデータキャリア３から収容散薬についての薬剤情報がリーダ５８によって読み出され、フィーダ制御ルーチン８８によって、容器データ９３等と一致しているか否か等の確認処理が行われる。そして、不一致のときにはエラー処理に移行する。こうして、散薬を運んできたカップ１が適切なものか否かの確認がなされる。例えば、カップ１の有無を検出するセンサの無いところでカップ１がベルト１１から落下して適切なカップ１がフィーダ６０に届かなかったような場合、エラーとして検知される。」
「図１
」
「図２
」
「図３
」
　段落【００２７】の「カップ１は、散薬の計量や搬送の際に散薬が舞い散らないように深めに形成された容器であり」との記載、段落【００３８】の「そして、カセット３０からそこのカップ１へ散薬が取り出されると、その散薬の分だけ秤量値も増加する。」との記載及び段落【００４２】の「カップ還流ユニットＥの搬送機構１０がカップ１をフィーダ６０のところまで搬送して来たときに、そのアーム等によって、カップ１のデータキャリア３とリーダ５８の非接触結合素子５９との結合可能なところへカップ１が運ばれ、さらに、カップ１内の散薬がフィーダ６０のホッパ６１内へ移し替えられるようになっている（図５参照）。」との記載から、カップ１は散薬を一時保管できるもの、といえる。
　段落【００４１】の「さらに、図示しない前扉にはカセット３０の出し入れ可能な開口窓が形成されており、空のカセット３０をカセット循環機構２０から取り外したり、散薬補充後のカセット３０をカセット循環機構２０へ装着させたりするのは、通常、その開口窓を介して行われる。」との記載から、カセット３０は開口窓により目視可能である、といえる。
（イ）甲第１号証に記載された発明
　上記（ア）より、甲第１号証には次の発明（以下「甲１発明」という。」）及び技術（以下「甲１技術」という。）が記載されていると認められる。
【甲１発明】
「散薬を収容し、それを排出部から放出できるカセット３０と、
前記カセット３０から散薬を放出できる散薬取り出し位置と、
前記散薬取り出し位置から放出された散薬を一時保管できるカップ１と、
前記カップ１を載置し、前記カップ１へ放出された散薬の重さを秤量できる電子秤５０と、
散薬の入ったカップ１から散薬を移し替えられ、案内部６２から散薬を放出できるフィーダ６０と、
フィーダ６０から放出された散薬を包装する散薬包装機７０と、
カセット３０が取着されたカセット循環機構２０とカップ１が搬送される搬送機構１０を備えたカセット収納ユニットＡ、Ｂ、Ｃと、
カセット収納ユニットＡ、Ｂ、Ｃ、前記散薬取り出し位置、前記フィーダ６０、及び前記電子秤５０の相互間で、前記カップ１を移送可能な搬送機構１０とを有し、
　更に、前記カセット収納ユニットＡ、Ｂ、Ｃに前記カセット３０及び／または前記カップ１が収容された状態が、機械前面に略平面状に配置され、かつ、前記カセット収納ユニットＡ、Ｂ、Ｃに収容された前記カセット３０のうち、補充を必要とするものを目視及び取り外したり装着の可能な開口窓を備え、
　更に、前記散薬取り出し位置において薬剤情報等に不一致が判明した場合、エラー処理に移行する散薬供給装置。」
【甲１技術】
「散薬を収容し、それを排出部から放出できるカセット３０と、前記カセット３０から散薬を放出できる散薬取り出し位置とを備え、前記散薬取り出し位置において薬剤情報等に不一致が判明した場合、エラー処理に移行する散薬供給装置」
イ　甲第２号証及び甲第２号証に記載された発明について
（ア）甲第２号証に記載された事項
　甲第２号証（国際公開第２０１５／１４１６６０号）には、図面とともに次の記載がある。
「［０００１］本発明は、散薬を一服用分づつ払い出す薬剤払出し装置に関するものである。」
「［００１７］そこで本発明は、従来技術の上記した問題点に注目し、秤量の際の人的ミスを減少させる機能を備え、さらに投入ホッパとトラフを清掃する必要がない薬剤払出し装置を提供することを目的とするものである。」
「［００２９］以下さらに本発明の実施形態の薬剤払出し装置１について説明するが、理解を容易にするため、先に本発明の概要と大まかな動作について説明し、その後に各部材の具体的構成を詳細に説明する。
　本実施形態の薬剤払出し装置１は、図１の様に本体装置２と、薬剤秤量装置（薬剤監査システム）３及び手動形薬剤容器５ａによって構成されている。
　本体装置２は、前記した特許文献１に開示された散薬分包装置２００と同様に、散薬分配装置１８と、薬剤包装装置６とを有している（図２，１３，１４参照）。
　散薬分配装置１８は分配皿７ａ，７ｂと、掻出装置８とを備え、供給された散薬を一服用分づつに分割することができる。また薬剤包装装置６によって分割された散薬を一服用分づつ包装することができる。また薬剤包装装置６内には印刷手段１３が内蔵されており、包装袋に所定の印刷を行うことができる。」
「［００３２］薬剤秤量装置３は、前記した特許文献２に開示されたものと略同様のものであり、図１６の様に天秤台（容器載置部）３０と、ＲＦＩＤリーダライター１３４と、バーコードリーダ３２及びタッチパネル１３３を有している。
　バーコードリーダ３２は、調剤情報読み込み手段及び収容薬剤確認手段として機能するものであり、本発明の実施形態においても、処方箋に記載された調剤情報が、バーコードリーダ３２を使用して薬剤秤量装置３の制御部１３１に読み込まれる。
　そして薬剤師は、天秤台（容器載置部）３０に手動形薬剤容器５ａを載せ、手動形薬剤容器５ａの薬剤投入部２１から手動形薬剤容器５ａ内に直接薬剤を導入して薬剤を秤量する。
　その際に、バーコードリーダ３２によって薬瓶等（図示せず）に添付されたバーコードから薬瓶内に収容された薬剤の種類を読み取り、処方された薬剤に間違いないことを確認することができる。
　処方箋の情報や、薬剤師の氏名、秤量された薬剤の種類や量が、薬剤秤量装置のＲＦＩＤリーダライター１３４によって手動形薬剤容器５ａのＲＦＩＤタグ２２に書き込まれる。即ちＲＦＩＤリーダライター１３４は、情報書き込み手段として機能する。
［００３３］そして手動又はロボットを使用して手動形薬剤容器５ａを移動し、手動形薬剤容器５ａを本体装置２の容器振動台１１に載置する。
　ここで容器振動台１１の近傍には、本体側情報読み取り手段たるＲＦＩＤリーダ１６が設けられており、当該ＲＦＩＤリーダ１６によって調剤情報が本体装置２に読み込まれる。そして読み込まれた調剤情報が本体装置２に設けられたタッチパネル１０６に表示される。従って薬剤師は、タッチパネル１０６に表示された調剤情報を確認することができる。」
「［００３５］タッチパネル１０６に表示するべき注意事項としては、処方箋に記載された薬剤の種類や量と、手動形薬剤容器５ａに内蔵された薬剤の種類や量が相違する様な場合がある。例えば複数種類以上の薬剤を同一の包装内に合包させる場合であって、処方箋に記載された薬剤は３種類であるが、手動形薬剤容器５ａに内蔵されているのは２種類だけであり、本体装置２における作業として、残る薬剤を分配皿７に投入する必要がある様な場合がある。
　また同じく複数種類以上の薬剤を同一の包装内に合包させる場合であって、複数の手動形薬剤容器５ａから薬剤を分配皿７に投入する様な場合があり、この様な場合には、それに沿った動作を行うように薬剤師がタッチパネル１０６を操作して本体装置２を動作させる。
　また、本件発明とは直接関係ないが、一緒に配分される収容形薬剤容器４の収容薬剤量が、処方量より少ない場合に、タッチパネル１０６の画面に薬品充填作業の支援画面を表示させて事前に充填作業を行ってもよい。」
「［００３８］そして薬剤師の処方監査や、所定の追加指示が終了し、薬剤師がタッチパネル１０６を操作して確認の信号を入力すると、以下の分包動作が開始される。なお確認の信号は、タッチパネル１０６の所定の表示部分をタッチすることとなるが、確認の表示は任意であり、例えば「確認」「作業開始」等の表示が考えられる。要するに、薬剤師が自己の意思で分包を開始するきっかけを作る。
　分包動作では、分配皿７を回転し、同時に容器振動台１１を振動させる。その結果、容器振動台１１上の手動形薬剤容器５ａが振動し、内部の散薬がゆっくりと薬剤排出部２０側に移動し、遂には薬剤排出部２０から分配皿７に落下する。即ち本実施形態では、従来の様なトラフを経ることなく、手動形薬剤容器５ａから直接、分配皿７に散薬を落下する。
　そして散薬が全て落下し終えると分配皿７の回転を停止する。その後は、ＲＦＩＤリーダ１６によって読み込まれた調剤情報に従って、分配皿７の散薬を所定の個数に分割し、掻出装置８で薬剤を掻き出して薬剤包装装置６に投入し、個別に包装するまた包装袋には所定の文字が印字される。
　一連の作業が終了すると、手動形薬剤容器５ａを容器振動台１１から取り外す。
　本実施形態の薬剤払出し装置１は、手動形薬剤容器５ａを振動させて手動形薬剤容器５ａから直接、散薬を分配皿７に投入するから、従来の様なトラフ２１０を持たず、トラフ２１０を清掃する必要がない。」
「［００４４］ドラム部材１０５は、図示しないモータによって回転し、所望の収容形薬剤容器４が、ロボット１１０に近接され、ロボット１１０によって着脱される。」
「［００６１］次に手動形薬剤容器５ａについて説明する。手動形薬剤容器５ａは、図４，５，６に示すように薬剤投入部２１ａを有するタイプの薬剤容器である。
　手動形薬剤容器５ａは、容器本体２５と、固定用鉄板部２６と、排出側蓋部材１２０と、投入側蓋部材１２１、ＲＦＩＤタグ（情報記録部材）２２及びバーコード２４とによって構成されている。
　容器本体２５は樹脂で作られた縦長の容器であり、長手方向の一端が開口していて薬剤排出部２０ａを構成している。また容器本体２５の側面にも大きな開口があり、当該開口が薬剤投入部２１ａとして機能する。
　容器本体２５に設けられた薬剤排出部２０ａは、容器振動台１１に載置された姿勢を基準として、水平方向に開口している。また薬剤投入部２１ａは、容器振動台１１に載置された姿勢を基準として、上方に向かって開口している。薬剤秤量装置３に載置された姿勢を基準としても同様であり、薬剤排出部２０ａは、水平方向に開口し、薬剤投入部２１ｂは上方に向かって開口している。」
「［００６５］次に収容形薬剤容器４について説明する。収容形薬剤容器４は、本発明の付属的部品であり、本発明の作用効果には直接的な影響を与えるものではない。収容形薬剤容器４は、図８に示すように収容形薬剤容器４は、薬剤投入部を持たないタイプの薬剤容器である。収容形薬剤容器４は、容器本体２５に運搬用鉄板部１５７が設けられている。本実施形態では、運搬用鉄板部１５７は、二つの小運搬用鉄板部１５７ａ，１５７ｂに分かれている。運搬用鉄板部１５７は、フェライト等の磁性体成分を含む鋼板で作られている。
　収容形薬剤容器４他の構成は、手動形薬剤容器５ａと同一であるから説明を省略する。
［００６６］本実施形態の本体装置２では、薬剤容器（収容形薬剤容器４又は手動形薬剤容器５ａ）と、容器振動台１１によって一組の薬剤フィーダ１０ａが構成される。
　即ち薬剤容器（収容形薬剤容器４又は手動形薬剤容器５ａ）と、容器振動台１１とは別々のものであり、散薬を分包する際に、両者が結合されて薬剤フィーダ１０ａを構成する。
　本実施形態で採用する本体装置２は、収容形薬剤容器４及び手動形薬剤容器５ａを使い分けることができるものである。収容形薬剤容器４には、予め、特定の薬剤が充填され、薬剤棚部領域１００の容器保管装置１０３に収容される。
　手動形薬剤容器５ａには、特定の患者に対する処方箋に則った薬剤が、薬剤師の手によって一つずつ入れられる。
　本発明は、手動形薬剤容器５ａを使用する点に特徴がある。手動形薬剤容器５ａは、容器保管装置１０３に収容されることなく、容器振動台１１に設置される。
　薬剤フィーダ１０ａは、載置台５２に内蔵された電磁石１２によって手動形薬剤容器５ａを容器振動台１１に固定し、手動形薬剤容器ａ５を振動させて散薬を排出させる機能を持つ。」
「［０１１３］以上の工程によって、「薬剤秤量作業」は終了する。これに引き続き、「薬剤分包作業」を行うこととなる。
　本実施形態では、「薬剤秤量作業」が終了すると、薬剤師の手によって手動形薬剤容器５ａの薬剤投入部２１ａに、投入側蓋部材１２１が装着される。
　そして手動形薬剤容器５ａは、薬剤師の手によって本体装置２に移動され、図１に示す薬剤棚部領域１００の筐体４０に設けられた扉部材１１１を開いて、薬剤容器仮置部１１２（図３）に装着される。
　後は、本体装置２によって、自動的に分包作業が実施される。即ち扉部材１１１の内側に設けられたＲＦＩＤリーダ等の本体側情報読み取り手段（扉部）１１３によって、手動形薬剤容器５ａのＲＦＩＤタグ２２に書き込まれた調剤に関する情報が読み込まれる。 　そして本体側情報読み取り手段（扉部）１１３によって、読み込まれた情報によって自動で、手動形薬剤容器５ａの装着先が決定される。本実施形態では、二つの分配皿７ａ，７ｂを備えているから、いずれの分配皿７ａ，７ｂが使用されるかが決定される。また本実施形態では、各分配皿７ａ，７ｂの近傍に３台づつ容器振動台１１が設けられているから、いずれの容器振動台１１に手動形薬剤容器５ａを装着するかが決定される。
［０１１４］そして手動形薬剤容器５ａは、ロボット１１０によって、決定されたいずれかの容器振動台１１に載置される。即ち手動形薬剤容器５ａを保持したロボット１１０は、容器保管装置１０３に向かうことなく、直接、容器振動台１１に向かい、手動形薬剤容器５ａを容器保管装置１０３に設置する。
　なお薬剤の色等の性状によって使用する分配皿７ａ，７ｂが選択される場合もある。 　手動形薬剤容器５ａが容器振動台１１に載置されると、そこでも手動形薬剤容器５ａのＲＦＩＤタグ２２に書き込まれた調剤に関する情報が読み出される。即ち本実施形態では、容器振動台１１の近傍にＲＦＩＤリーダ１６が設けられており、容器振動台１１側のＲＦＩＤリーダ１６によっても調剤に関する情報が読み出される。
　そして調剤に関する情報に従って、散薬が分割される。即ち分配皿７ａ，７ｂのいずれかが回転し、同時に容器振動台１１を振動させる。その結果、容器振動台１１上の手動形薬剤容器５ａが振動し、内部の散薬がゆっくりと薬剤排出部２０ａ側に移動し、遂には薬剤排出部２０ａから分配皿７に落下する。即ち本実施形態では、従来の様なトラフを経ることなく、手動形薬剤容器５ａから直接、分配皿７に散薬を落下する。
　そして散薬が全て落下し終えると分配皿７の回転を停止する。その後は、調剤情報に従って、分配皿７の散薬を所定の個数に分割し、掻出装置８で薬剤を掻き出して薬剤包装装置６に投入し、個別に包装する。また包装袋には所定の文字が印字される。」
「［０１２４］上記した様に、本実施形態の薬剤払出し装置１は、収容形薬剤容器４を使用して全自動分包を行う機能も備えている。
　以下、全自動分包について説明する。
　全自動分包は、収容形薬剤容器４を使用して実行される。前記した様に、収容形薬剤容器４には、予め、特定の薬剤が充填され、薬剤棚部領域１００の容器保管装置１０３に収容されている。
　本実施形態で採用する容器振動台１１は、収容形薬剤容器４の重量を直接的または間接的に測定する重量測定手段５６とを有している。また上記した本実施形態で採用する本体装置２は、容器保管装置１０３を備えている。そのため上記した本体装置２は、処方箋に応じて自動的に薬剤が収容された収容形薬剤容器４を選び出し、さらに薬剤の秤量を自動的に本体装置２内で実施する機能を備えている。
　この機能は、収容形薬剤容器４を使用して発揮される。本実施形態の本体装置２では、予め所定の薬剤を収容形薬剤容器４に収容し、薬剤が充填された収容形薬剤容器４を容器保管装置１０３に収容しておく。
　そして容器保管装置１０３のドラム部材１０５を回転し、所望の収容形薬剤容器４をロボット１１０に近づける。そしてロボット１１０で、収容形薬剤容器４を保持し、アーム等を動作させて当該収容形薬剤容器４を容器振動台１１に設置する。
　なお複数の薬剤を配合して、一つの包装中に同封する場合には、複数の収容形薬剤容器４が容器振動台１１に設置される。
［０１２５］そして容器振動台１１を振動させる。その結果、収容形薬剤容器４の散薬が、ゆっくりと移動し、収容形薬剤容器４から排出されて分配皿７ａ，７ｂに落下する。
　また振動開始と前後して分配皿７ａ，７ｂを回転させる。振動開始と前後して、収容形薬剤容器４の重量が測定される。その間、収容形薬剤容器４の重量が、監視され、散薬の総落下量が所望の重量となったところで、容器振動台１１の振動を停止する。
　即ち重量測定手段５６によって、薬剤を排出する以前の収容形薬剤容器４の重量たる原重量を測定し、収容形薬剤容器４から散薬を少量ずつ排出する際に前記重量測定手段５６によって収容形薬剤容器４の重量を監視する。そして収容形薬剤容器４の現在の重量たる現重量が、原重量から目標排出量を引いた値に一致した際あるいは略一致した際に収容形薬剤容器４からの散薬の排出を停止させる。」
「図１
」
「図２
」
「図３
」
「図７
」
　段落［００３２］の「そして薬剤師は、天秤台（容器載置部）３０に手動形薬剤容器５ａを載せ、手動形薬剤容器５ａの薬剤投入部２１から手動形薬剤容器５ａ内に直接薬剤を導入して薬剤を秤量する。」との記載、段落［００３３］の「そして手動又はロボットを使用して手動形薬剤容器５ａを移動し、手動形薬剤容器５ａを本体装置２の容器振動台１１に載置する。」との記載及び段落［００３８］の「分包動作では、分配皿７を回転し、同時に容器振動台１１を振動させる。その結果、容器振動台１１上の手動形薬剤容器５ａが振動し、内部の散薬がゆっくりと薬剤排出部２０側に移動し、遂には薬剤排出部２０から分配皿７に落下する。・・・そして散薬が全て落下し終えると分配皿７の回転を停止する。・・・一連の作業が終了すると、手動形薬剤容器５ａを容器振動台１１から取り外す。」との記載から、手動形薬剤容器５ａは薬剤を一時保管できるもの、といえる。
（イ）甲第２号証に記載された発明
　上記（ア）より、甲第２号証には次の発明（以下「甲２発明」という。」）が記載されていると認められる。
「薬剤を収容し、それを薬剤排出部２０から放出できる収容形薬剤容器４と、
前記収容形薬剤容器４を載置し、そこから薬剤を放出できる容器振動台１１と、
薬剤師が薬剤投入部２１から導入した薬剤を一時保管できる手動形薬剤容器５ａと、
前記手動形薬剤容器５ａを載置し、前記手動形薬剤容器５ａへ放出された薬剤の重量を計測できる薬剤秤量装置３と、
計量済みの薬剤の入った前記手動形薬剤容器５ａを載置し、その薬剤排出部２０ａから散薬を放出できる容器振動台１１と、
前記容器振動台１１から放出された薬剤を包装する薬剤包装装置６と、
前記収容形薬剤容器４を載置可能な円筒形状の容器保管装置１０３と、
薬剤棚部領域１００に設けられた薬剤容器仮置部１１２から前記容器振動台１１へ、前記手動形薬剤容器５ａを移送可能であるとともに、容器保管装置１０３の収容形薬剤容器４を容器振動台１１へ移送可能なロボット１１０とを有し、
　更に、前記収容形薬剤容器４と前記手動形薬剤容器５ａとの薬剤投入部以外の形状が同一である、
薬剤払出し装置。」
ウ　理由１及び理由２　アについて（甲１発明を主引用発明とした場合）
（ア）本件発明１について
ａ　対比
　本件発明１と甲１発明とを対比する。
　甲１発明の「排出部」、「カセット３０」、「散薬取り出し位置」、「カップ１」、「重さを秤量」、「電子秤５０」、「案内部６２」、「フィーダ６０」、「散薬包装機７０」、「カセット収納ユニットＡ、Ｂ、Ｃ」、「搬送機構１０」、「処置を必要とする」は、それぞれ本件発明１の「散薬収容容器」の「排出口」、「散薬収容容器」、「第１の散薬放出部」、「散薬一時保管容器」、「重量を計測」、「散薬計量部」、「第２の散薬放出部」の「排出口」、「第２の散薬放出部」、「散薬包装装置」、「散薬容器棚」、「散薬容器移送装置」、「補充を必要とする」に相当する。
　甲１発明の、「散薬の入った」カップ１は、フィーダ６０に散薬を移し替える前の、電子秤５０で散薬の重さが秤量されたものであるから、本件発明１の「計量済みの散薬の入った」前記散薬一時保管容器に相当する。
　甲１発明の「目視及び
取り外したり装着の可能な
　以上より、本件発明１と甲１発明との一致点及び相違点は次のとおりである。
【一致点】
「−散薬を収容し、それを排出口から放出できる散薬収容容器と、
−前記散薬収容容器を載置し、そこから散薬を放出できる第１の散薬放出部と、
−前記第１の散薬放出部から放出された散薬を一時保管できる散薬一時保管容器と、
−前記散薬一時保管容器を載置し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記第２の散薬放出部から放出された散薬を包装する散薬包装装置と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置とを有し、
　更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置
する散薬分包機。」
【相違点１】
　本件発明１の「第２散薬放出部」は、散薬一時保管容器を載置可能であるのに対し、甲１発明の「フィーダ６０」は、カップ１を載置可能としていない点。
【相違点２】
　本件発明１の「散薬容器棚」は、「散薬収容容器」と「散薬一時保管容器」との両方を載置可能であるとともに、「散薬収容容器」と「散薬一時保管容器」の「散薬容器棚」に載置される部分の形状が同一であるのに対し、甲１発明の「カセット収納ユニットＡ、Ｂ、Ｃ」は棚ではなく、カセット３０、カップ１のいずれも載置しておらず、形状も同一であるか明らかでない点。
【相違点３】
　本件発明１では、散薬放出部において計量ミスのあることが判明した散薬一時保管容器を散薬容器移送装置により散薬容器棚に移送するのに対して、甲１発明では、薬剤情報等に不一致が判明した場合、エラー処理に移行するものの、エラー処理がいかなるものか明らかでない点。
ｂ　判断
　事案に鑑み、まず上記相違点２について検討すると、甲第１号証にはカセット３０及びカップ１のいずれもカセット収容ユニットＡ、Ｂ、Ｃに載置される点及びカセット３０及びカップ１の形状に同一部分がある点について、記載も示唆もされていない。また、甲第２号証にも上記相違点２に係る構成は記載も示唆もされていない。
　そして、本件発明１は、「前記散薬収容容器と前記散薬一時保管容器との両方を載置可能な散薬容器棚と、を有し、前記散薬収容容器と前記散薬一時保管容器との、前記散薬容器棚に載置される部分の形状が同一であ」ることにより、「機械前面から、処理が必要な散薬収容容器を目視し脱着することができ、かつ、計量不良発生時に自動でロスの発生がなく散薬の回収ができる」（段落【００２９】）との効果を奏するものであるから、単なる設計事項であるともいえない。
　また、上記相違点３について検討すると、甲１号証には薬剤情報等に不一致が判明した場合、エラー処理に移行するものの、エラー処理の具体的内容が特定されておらず、本件発明１のような、散薬一時保管容器を散薬容器移送装置により、散薬容器棚に移送する点について、記載も示唆もされていない。また、甲第２号証にも上記相違点３に係る構成は記載も示唆もされていない。
　そして、本件発明１は、「散薬放出部において計量ミスのあることが判明した散薬一時保管容器を散薬容器移送装置により、散薬容器棚に移送する」ことにより、「計量不良発生時に自動でロスの発生がなく散薬の回収ができる」（段落【００１３】）との効果を奏するものであるから、単なる設計事項であるともいえない。
　したがって、その余の相違点について検討するまでもなく、本件発明１は、甲第１号証に記載された発明であるとはいえず、また、甲第１号証及び甲第２号証に記載された発明に基いて当業者が容易に発明をすることができたものであるともいえない。
（イ）本件発明５について
　本件発明５は本件発明１の構成を全て含むものであるところ、本件発明１の「散薬放出部において計量ミスのあることが判明した散薬一時保管容器を散薬容器移送装置により、散薬容器棚に移送する」という発明特定事項を有するから、上記（ア）本件発明１についてと同様の理由により、本件発明５は、甲第１号証に記載された発明であるとはいえず、また、甲第１号証及び甲第２号証に記載された発明に基いて当業者が容易に発明をすることができたものともいえない。
（ウ）本件発明６について
　本件発明６は「散薬計量放出装置」に係る発明であるところ、本件発明１の構成のうち「前記第２の散薬放出部から放出された散薬を包装する散薬包装装置」という発明特定事項のみを除いたものである。
　本件発明６は、本件発明１に係る発明の「散薬放出部において計量ミスのあることが判明した散薬一時保管容器を散薬容器移送装置により、散薬容器棚に移送する」という発明特定事項を同じく有することから、上記（ア）本件発明１についてと同様の理由により、本件発明６は、甲第１号証に記載された発明であるとはいえず、また、甲第１号証及び甲第２号証に記載された発明に基いて当業者が容易に発明をすることができたものともいえない。
エ　理由２　イについて（甲第２号証を主引用発明とした場合）
（ア）本件発明１について
ａ　対比
　本件発明１と甲２発明とを対比する。
　甲２発明の「薬剤」、「収容形薬剤容器４」、「導入」、「手動形薬剤容器５ａ」、「秤量する」、「薬剤秤量装置３」、「薬剤包装装置６」、「容器保管装置１０３」、「ロボット１１０」、「薬剤払出し装置」は、それぞれ本件発明１の「散薬」、「散薬収容容器」、「放出」、「散薬一時保管容器」、「重量を計測できる」、「散薬計量部」、「散薬包装装置」、「散薬容器棚」、「散薬容器移送装置」、「散薬分包機」に相当する。
　また、甲２発明の「薬剤排出部２０」及び「薬剤排出部２０ａ」は、本件発明１の「排出口」に相当し、甲２発明の「容器振動台１１」は、薬剤を収容した容器から薬剤を放出できることから、本件発明の「第１の散薬放出部」及び「第２の散薬放出部」に相当する。
　以上より、本件発明１と甲２発明との一致点及び相違点は次のとおりである。
【一致点】
−散薬を収容し、それを排出口から放出できる散薬収容容器と、
−前記散薬収容容器を載置し、そこから散薬を放出できる第１の散薬放出部と、
−放出された散薬を一時保管できる散薬一時保管容器と、
−前記散薬一時保管容器を載置し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記第２の散薬放出部から放出された散薬を包装する散薬包装装置と、
−前記散薬一時保管容器を移送可能な散薬容器移送装置とを有し、
　更に、前記散薬収容容器と前記散薬一時保管容器との、前記散薬容器棚に載置される部分の形状が同一である、
散薬分包機。
【相違点４】
　本件発明１の「散薬一時保管容器」は、第１の散薬放出部から放出された散薬を保管するのに対して、甲２発明の「手動形薬剤容器５ａ」は、薬剤師が薬剤を導入する点。
【相違点５】
　本件発明１の「散薬容器棚」は、散薬収容容器と散薬一時保管容器との両方を載置可能であるとともに載置される部分の形状が同一であるのに対して、甲２発明の「容器保管装置１０３」は、収容形薬剤容器４と手動形薬剤容器５ａの両方が載置可能か明らかでないものの、薬剤投入部以外の形状が同一である点。
【相違点６】
　本件発明１の「散薬容器移送装置」は、第２の散薬放出部及び散薬計量部の相互間で、散薬収容容器または散薬一時保管容器を移送可能であるのに対して、甲２発明では、薬剤容器仮置部１１２から容器振動台１１へ手動形薬剤容器５ａが移送可能である点。
【相違点７】
　本件発明１の散薬容器棚に散薬収容容器及び／または散薬一時保管容器が載置された状態が、機械前面に略平面状に配置され、かつ、散薬容器棚に載置された散薬収容容器及び／または散薬一時保管容器のうち、処置を必要とするものを目視及び脱着の可能な場所に配置されるのに対して、甲２発明の容器保管装置１０３は円筒形状であり、収容形薬剤容器４が装置前面に略平面状に配置されるとはいえない点。
【相違点８】
　本件発明１における、散薬放出部において計量ミスのあることが判明した散薬一時保管容器を散薬容器移送装置により、散薬容器棚に移送するのに対して、甲２発明ではそのように構成されていない点。
ｂ　判断
　事案に鑑み、まず上記相違点５について検討すると、甲第２号証には当該相違点に関する記載はなく、甲１技術においても計量ミスが判明した場合（甲１技術でいう
薬剤情報等に不一致が判明した場合
　そして、本件発明１は、「散薬放出部において計量ミスのあることが判明した散薬一時保管容器を散薬容器移送装置により、散薬容器棚に移送する」ことにより、「計量不良発生時に自動でロスの発生がなく散薬の回収ができる」（段落【００２９】）との効果を奏するものであるから、単なる設計事項であるともいえない。
　したがって、その余の相違点について検討するまでもなく、本件発明１は、甲第２号証及び甲第１号証に記載された発明及び甲第３号証〜甲第９号証に記載された周知の技術に基いて当業者が容易に発明をすることができたものであるともいえない。
（イ）本件発明５について
　本件発明５は本件発明１の構成を全て含むものであるところ、本件発明１の「散薬放出部において計量ミスのあることが判明した散薬一時保管容器を散薬容器移送装置により、散薬容器棚に移送する」という発明特定事項を有するから、上記（ア）本件発明１についてと同様の理由により、本件発明５は、甲第２号証及び甲第１号証に記載された発明及び甲第３号証〜甲第９号証に記載された周知の技術に基いて当業者が容易に発明をすることができたものともいえない。
（ウ）本件発明６について
　本件発明６は「散薬計量放出装置」に係る発明であるところ、本件発明１の構成のうち「前記第２の散薬放出部から放出された散薬を包装する散薬包装装置」という発明特定事項のみを除いたものである。
　本件発明６は、本件発明１に係る発明の「散薬放出部において計量ミスのあることが判明した散薬一時保管容器を散薬容器移送装置により、散薬容器棚に移送する」という発明特定事項を同じく有することから、上記（ア）本件発明１についてと同様の理由により、本件発明６は、甲第２号証及び甲第１号証に記載された発明及び甲第３号証〜甲第９号証に記載された周知の技術に基いて当業者が容易に発明をすることができたものともいえない。
（２）理由３について
ア　先願明細書等（甲第１０号証）に記載された発明について
（ア）先願明細書等（甲第１０号証）に記載された事項
　先願の願書に最初に添付された明細書、特許請求の範囲及び図面（以下「先願明細書等」という。甲第１０号証参照。）には、図面とともに次の記載がある。
「【請求項６】
　薬剤容器に作用して薬剤容器から散薬を排出させる薬剤排出手段と、薬剤容器から排出された散薬を受ける仮容器と、計量手段と、仮容器を搬送する仮容器搬送手段を有し、
　仮容器を計量手段に載置し、
　薬剤容器から排出された散薬の量を計量手段で監視し、
　薬剤排出手段によって所望量の散薬を薬剤容器から排出させて仮容器に散薬を投入し、仮容器搬送手段によって仮容器を移動させることを特徴とする散薬秤量装置。
【請求項７】
　薬剤容器は、散薬を貯留する散薬貯留部と、散薬を排出する散薬排出部を有し、
　前記薬剤容器内に薬剤排出手段の一部又は全部があり、薬剤容器内で薬剤排出手段を駆動することによって散薬排出部から散薬を取り出すことを特徴とする請求項５又は６に記載の散薬秤量装置。」
「【請求項１１】
　請求項５乃至１０のいずれかに記載の散薬秤量装置と、薬剤を所望の個数に分割して個別に包装する薬剤分包装置とを有し、仮容器内の散薬を手動又は自動的に薬剤分包装置に投入することが可能であることを特徴とする薬剤分包システム。」
「【００２９】
　以下さらに本発明の実施形態について説明する。
　本実施形態の薬剤払出し装置１は、本出願人が過去に特許出願した薬剤払出し装置を基本構成とし、これに各種の改良を加えたものである。
　付加した改良点の説明に先立って、薬剤払出し装置１の基本構成について説明する。
　本実施形態の薬剤払出し装置１は、図１の様に本体部を構成する筐体１０と、操作表示部３を備えている。
　薬剤払出し装置１には多数の薬剤容器４が収容されている。各薬剤容器４には散薬が充填されている。薬剤払出し装置１は、操作表示部３を操作することにより、所望の薬剤容器４を選び出し、薬剤容器４に収容された散薬を自動的に取り出して計量し、所定数に分割して分包する装置である。」
「【００４７】
　本実施形態では、容器載置装置３６に薬剤容器４を載置して薬剤容器４を振動させ、薬剤容器４に収容された散薬を分配皿３５に排出することが可能である。そしてこの散薬の排出に伴う薬剤容器４の重量変化を重量測定手段５２によって検知可能である。本実施形態では、重量測定手段５２が排出量検知手段として機能し、薬剤容器４の重量変化によって散薬の排出量が検出される。」
「【００４９】
　薬剤容器４は、外形が略直方体状の容器であり、内部に散薬を収容することができる。薬剤容器４には、図５、図６の様に容器本体６と蓋１９０によって構成されている。蓋１９０は容器本体６とから取り外すことができる。本実施形態では、容器本体６から蓋１９０を外して容器本体６の一端側を大きく開口させ、散薬を充填する。
　また図６（ａ）の様に蓋１９０を開いて一部を開口することができる。蓋１９０を開くことによって形成される開口１８８から内部の散薬を排出することができる。
　また薬剤容器４には、異なる二面にそれぞれ鉄板１８２，１８３が取り付けられている。一方の面に設けられた鉄板１８３は、アーム部３０で薬剤容器４を保持する際、アーム部３０の磁石に吸着させるための部分である。また、他方の面に設けられた鉄板１８２は、後述する容器載置装置３６に設置するとき、容器載置装置３６の電磁石４１に吸着させるための部分である。」
「【０１２１】
　本実施形態の薬剤払出し装置１００は、分配皿３５の近傍に散薬を序々に投下する散薬フィーダ２０１があり、薬剤容器４に作用して薬剤容器４から薬剤を排出させる薬剤排出装置（容器載置装置３６）と、薬剤容器４から排出された薬剤を受ける仮容器１０７と、仮容器１０７を散薬フィーダ２０１に搬送する仮容器搬送手段（ロボット１０６）を有し、薬剤排出装置によって所望量の散薬を薬剤容器から排出させて仮容器１０７に散薬を投入し、仮容器搬送手段によって仮容器１０７を散薬フィーダ２０１に移動させ、散薬フィーダ２０１から散薬を分配皿３５に投入するものである。」
「【０１２３】
　さらにこれらの変形例に付いて説明する。図１９に示す薬剤払出し装置１２１は、計量器（計量手段）１０２の近傍に容器載置装置（薬剤排出手段）３６を設置したものである。本実施形態で採用する容器載置装置３６は、基本的に前記した図５のものと同一であるが、重量測定手段（計量手段）５２は、必須ではない。
【０１２４】
　本実施形態では、配列棚１０１の中に、薬剤容器４が配置されている。また本実施形態では、ロボット１０６は、薬剤容器４を配列棚１０１から容器載置装置３６に搬送する薬剤容器搬送手段として機能する。
　本実施形態では、必要な薬剤容器４がロボット１０６によって配列棚１０１から取り出され、容器載置装置（薬剤排出手段）３６に設置される。
　そして容器載置装置３６が起動し、薬剤容器４から薬剤が排出される。排出された薬剤は、直接的に仮容器１０７に落下する。
　薬剤容器４から排出された薬剤の量は、計量器１０２で監視される。そして所定量の散薬が仮容器１０７に落下すると、容器載置装置３６が停止する。
【０１２５】
　図１６に示す薬剤払出し装置１００及び図１９の示す薬剤払出し装置１２１は、薬剤を秤量する機能と、薬剤を分割する機能と、薬剤を個別に包装する機能を備えている。
　図１６に示す薬剤払出し装置１００及び図１９の示す薬剤払出し装置１２１の内で、薬剤を秤量する機能の部分だけを単独で製品化することも可能である。
　即ち、図１６に示す薬剤払出し装置１００では、配列棚１０１と、計量器（計量手段）１０２と、配列棚１０１内の散薬排出ユニット１０５によって散薬秤量装置５００が構成されている。
　また図１９に示す薬剤払出し装置１２１では、配列棚１０１と、計量器（計量手段）１０２と、ロボット（薬剤容器搬送手段）１０６と、計量器１０２の近傍に配置された容器載置装置（薬剤排出手段）３６によって散薬秤量装置５０１が構成されている。
【０１２６】
　図２０は、散薬秤量装置５００、５０１を使用した薬剤分包システム１２２の一例を示す概念図である。なお図２０では、代表として図１６に示す散薬秤量装置５００を図示しているが、これに代わって図１９に示す散薬秤量装置５０１を採用してもよい。図２１以下の実施形態では、散薬秤量装置５００、５０１のいずれかを例示しているが、いずれを採用するかは任意である。
【０１２７】
　薬剤分包システム１２２は、散薬秤量装置５００と、秤量皿移動コンベヤ（仮容器搬送手段）１０３と、薬剤分包装置１２５を有している。薬剤分包装置１２５は、分配皿方式を採用するものである。
　秤量皿移動コンベヤ１０３は、散薬秤量装置５００と薬剤分包装置１２５の間に設けられた搬送装置であり、薬剤分包装置１２５の近傍に図示しない秤量皿反転装置が設けられている。
　薬剤分包装置１２５は、散薬分配装置（薬剤分割手段）９０２と、薬剤包装装置（薬剤分包手段）９０３を有している。
　散薬分配装置９０２は散薬を投入するホッパー（薬剤投入部）９０５を有し、ホッパー９０５に投入された散薬を所定の数に分割するものである。
　薬剤包装装置９０３は、分割された散薬を個別に包装するものである。
　散薬秤量装置５００は、前記した様に、薬剤排出手段によって薬剤容器４から散薬を取り出して仮容器１０７に移し、仮容器１０７に移された散薬の重量を重量測定手段たる計量器１０２で直接的に監視し、所定量の散薬を仮容器１０７に移す動作を実行する薬剤排出制御手段を有している。
　そして所定量の散薬が移された仮容器１０７は、秤量皿移動コンベヤ１０３によって薬剤分包装置１２５の近傍に搬送され、図示しない秤量皿反転装置によって仮容器１０７が傾斜姿勢となってホッパー（薬剤投入部）９０５に散薬が投入される。そして薬剤分包装置１２５によって薬剤が所定の数に分割され、個別に包装される。」
「【０１２９】
　図２２は、散薬秤量装置５００又は散薬秤量装置５０１を使用した他の薬剤分包システム３０１の一例を示す斜視図である。
　本実施形態の薬剤分包システム３０１は、散薬秤量装置５００と、薬剤分包装置３０５及び秤量皿移動装置（仮容器搬送手段）３０６によって構成されている。
　薬剤分包装置３０５は、公知の分配皿方式の薬剤分包装置である。
【０１３０】
　秤量皿移動装置３０６は、公知のロボットである。秤量皿移動装置３０６は図示しない仮容器収容棚から仮容器１０７を取り出して計量器１０２に載置する仮容器移動手段としての機能と、仮容器１０７を計量器１０２から薬剤分包装置３０５に搬送する仮容器搬送手段として機能を有している。
【０１３１】
　以上説明した実施形態では、薬剤分包装置３０５として分配皿方式の薬剤分包装置を採用したが、薬剤分包装置の形式は任意である。図２３は、薬剤分包装置としてＶ枡方式の薬剤分包装置３０７を採用した場合の斜視図である。
　重量測定手段２２から秤量皿移動装置３０６によって取り出された仮容器１０７をＶ枡方式の薬剤分包装置３０７に移動させ、Ｖ枡部３０８に仮容器１０７を傾けて散薬を投入することも可能である。その後は手動でＶ枡内の散薬を均してもよいし、自動で散薬を均す方式を採用してもよい。」
「図１９
」
「図２０
」
　段落【０１２１】の「・・・薬剤排出装置によって所望量の散薬を薬剤容器から排出させて仮容器１０７に散薬を投入し、仮容器搬送手段によって仮容器１０７を散薬フィーダ２０１に移動させ、散薬フィーダ２０１から散薬を分配皿３５に投入するものである。」との記載から、仮容器１０７は薬剤を一時保管できるもの、といえる。
（イ）先願明細書等（甲第１０号証）に記載された発明
　上記（ア）より、先願明細書等（甲第１０号証）には次の発明（以下「甲１０発明」という。」）が記載されていると認められる。
「薬剤を収容し、それを開口１８８から放出できる薬剤容器４と、
前記薬剤容器４を載置し、そこから薬剤を排出できる容器載置装置３６と、
前記容器載置装置３６から排出された薬剤を一時保管できる仮容器１０７と、
前記仮容器１０７を載置し、前記仮容器１０７へ排出された薬剤の量を計量できる計量器１０２と、
計量済みの薬剤の入った前記仮容器１０７を載置し、仮容器１０７から薬剤を放出できる秤量皿反転装置と、
前記秤量皿反転装置から放出された薬剤を包装する薬剤分包装置１２５と、
前記薬剤容器４を載置可能な配列棚１０１と、
前記配列棚１０１、前記容器載置装置３６、前記秤量皿反転装置、及び前記計量器１０２の相互間で、前記薬剤容器４または前記仮容器１０７を移送可能なロボット１０６、秤量皿移動コンベア１０３とを有し、
更に、前記配列棚１０１に前記薬剤容器４が載置された状態が、配列棚１０１前面に略平面状に配置される
薬剤払出し装置。」
イ　本件発明１について
（ア）対比
　本件発明１と甲１０発明とを対比する。
　甲１０発明の「薬剤」、「開口１８８」、「薬剤容器４」、「排出」、「容器載置装置３６」、「仮容器１０７」、「量を計量できる」、「計量器１０２」、「秤量皿反転装置」、「薬剤分包装置１２５」、「配列棚１０１」、「ロボット１０６」及び「秤量皿移動コンベア１０３」、「薬剤払出し装置」は、それぞれ本件発明１の「散薬」、「排出口」、「散薬収容容器」、「放出」、「第１の散薬放出部」、「散薬一時保管容器」、「重量を計測できる」、「散薬計量部」、「第２の散薬放出部」、「散薬包装装置」、「散薬容器棚」、「散薬容器移送装置」、「散薬分包機」に相当する。
　以上より、本件発明１と甲１０発明との一致点及び相違点は次のとおりである。
【一致点】
−散薬を収容し、それを排出口から放出できる散薬収容容器と、
−前記散薬収容容器を載置し、そこから散薬を放出できる第１の散薬放出部と、
−前記第１の散薬放出部から放出された散薬を一時保管できる散薬一時保管容器と、
−前記散薬一時保管容器を載置し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記第２の散薬放出部から放出された散薬を包装する散薬包装装置と、
−前記散薬収容容器を載置可能な散薬容器棚と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置とを有する散薬分包機。
【相違点９】
　本件発明１における、散薬容器棚に散薬収容容器と前記散薬一時保管容器との両方を載置可能であり、「散薬収容容器と散薬一時保管容器との、前記散薬容器棚に載置される部分の形状が同一であ」るのに対して、甲１０発明では、配列棚１０１に仮容器１０７が載置可能とはいえず、薬剤容器４と仮容器１０７の形状が同一か明らかでない点。
【相違点１０】
　本件発明１における散薬容器棚に散薬収容容器及び／または散薬一時保管容器が載置された状態が、機械前面に略平面状に配置されるのに対して、甲１０発明では、配列棚１０１に薬剤容器４が載置された状態が、配列棚１０１前面に略平面状に配置される点。
【相違点１１】
　本件発明１における、散薬容器棚に載置された散薬収容容器及び／または散薬一時保管容器のうち、処置を必要とするものを目視及び脱着の可能な場所に配置したのに対して、甲１０発明では処置を必要とする薬剤容器４の取り扱いについて明らかでない点。
【相違点１２】
　本件発明１において、散薬放出部において計量ミスのあることが判明した散薬一時保管容器を散薬容器移送装置により、散薬容器棚に移送するのに対して、甲１０発明では、計量ミスがあった場合の取り扱いについて明らかでない点。
（イ）判断
　上記相違点９について検討すると、先願明細書等（甲第１０号証）には仮容器１０７が配列棚１０１に載置可能である点及び薬剤容器４と仮容器１０７の配列棚１０１に載置する部分の形状が同一である点について、記載も示唆もされておらず、これらの点が技術常識であるということもできない。
　よって、上記相違点９は、実質的な相違点である、というべきである。
　さらに、上記相違点１０では、配列棚１０１に薬剤容器４が載置された状態が、薬剤払い出し装置における機械前面に配置される点、上記相違点１１では、処置を必要とする薬剤容器４を目視及び脱着の可能な場所に配置する点、上記相違点１２では、計量ミスのあることが判明した仮容器１０７を散薬容器移送装置により、散薬容器棚に移送する点について、記載も示唆もされておらず、これらの点が技術常識であるということもできない。
　よって、上記相違点１０〜１２についても実質的な相違点である、というべきである。
　また本件発明１は、「散薬放出部において計量ミスのあることが判明した散薬一時保管容器を散薬容器移送装置により、散薬容器棚に移送する」ことにより、「計量不良発生時に自動でロスの発生がなく散薬の回収ができる」（段落【００２９】）との効果を奏するものと認められる。
　したがって、本件発明１は、先願明細書等（甲第１０号証）に記載された発明と同一とはいえない。
ウ　本件発明６について
　本件発明６は「散薬計量放出装置」に係る発明であるところ、本件発明１の構成のうち「前記第２の散薬放出部から放出された散薬を包装する散薬包装装置」という発明特定事項のみを除いたものである。
　そうすると、本件発明６と甲１０発明とは上記イ（ア）で示した相違点９〜１２で相違し、上記イ（イ）で示したとおり実質的な相違点といえるものであるから、本件発明６は、先願明細書等（甲第１０号証）に記載された発明と同一とはいえない。
（３）理由４について
ア　申立人の主張 
　理由４について、申立人が主張する内容は以下のとおりである（異議申立書第１０ページ〜第１７ページ）。 
【理由４−１】
　本件発明１〜６の「前記散薬容器棚、前記第１の散薬放出部、前記第２の散薬放出部、及び前記散薬計量部の相互間で、前記散薬収容容器または前記散薬一時保管容器を移送可能な散薬容器移送装置とを有し」について、発明の詳細な説明に記載された主たる実施形態に係る発明をそのまま表したのではなく、そのため主たる実施形態に係る発明と整合しておらず、技術的意義が理解できないものであり、発明が不明確である。
【理由４−２】
　本件発明５の「読み取った符号の内容に対応して、前記散薬収容容器または前記散薬一時保管容器の移送先を定める」について、散薬収容容器または散薬一時保管容器の移送先は、散薬に関連付けられた符号の内容いかんにかかわらず定まっており、移送先を定めるプロセスは存在しないことから、不明確である。
イ　当審の判断 
（ア）　明確性要件の判断手法 
　請求項に係る発明が明確性要件に適合するか否かは、当該請求項の記載だけではなく、願書に添付した明細書の記載及び図面を考慮し、また、当業者の出願当時における技術常識を基礎として、当該請求項の記載が、第三者に不測の不利益を及ぼすほどに不明確であるか否かという観点から判断すべきところ、以下、上記観点に立って検討する。 
（イ）理由４−１について
　本件発明１、５、６には「前記散薬容器棚、前記第１の散薬放出部、前記第２の散薬放出部、及び前記散薬計量部の相互間で、前記散薬収容容器または前記散薬一時保管容器を移送可能な散薬容器移送装置とを有し」と記載されているところ、散薬収容容器が散薬容器移送装置により散薬容器棚から第１の散薬放出部へ移送される点が段落【０１０１】〜【０１１１】に、散薬一時保管容器が散薬容器移送装置により散薬容器棚から散薬計量部へ移送される点が段落【０１１２】〜【０１１３】に、散薬一時保管容器が散薬容器移送装置により第２散薬放出部へ移送される点が段落【０１２２】に具体的に記載されており、本件発明１、５、６において特定される「散薬収容容器」、「散薬一時保管容器」は、「散薬容器移送装置」によって、「散薬容器棚」、「第１の散薬放出部」、「第２の散薬放出部」、及び「散薬計量部」間を移送される点が特定されている。
　したがって、当該明細書の記載を踏まえれば、本件発明１、５、６において特定される各構成要素の役割や機能は明確であり、第三者に不測の不利益を及ぼすほどに不明確であるとまではいえない。
　よって、本件発明１、５、６は、いずれも明確性要件に適合する。
（ウ）理由４−２について
　本件発明５には「読み取った符号の内容に対応して、前記散薬収容容器または前記散薬一時保管容器の移送先を定める」と記載されている。
　この点に関し、段落【００８６】の「なお、各々の容器載置台７０５の上面（容器を載置する面）には、散薬収容容器１００または散薬一時保管容器３００を載置固定するための電磁石（図示せず）及びそれらの容器に設けられたＲＦＩＤタグ１０７（３０７）との間で情報を読み取ったり、書き込んだりするためのＲＦＩＤリーダ・ライタ（図示せず）が設けられている。」との記載、段落【００８７】の「また、このＲＦＩＤタグ１０７（３０７）には・・・処方の都度入力される「載置台番号」「処方番号」「払出し量」「現在予想残量」などと関連つける符号が入力される。」との記載、段落【０１１９】の「また、それら装着された容器に関する情報は、事前に別の装置で書き込まれているものとし、これを図示しないＲＦＩＤリーダ・ライタで読み取って、容器載置台７０５の位置と、そこに載置されている容器の散薬情報を紐付けて、これを記憶テーブルに保存しておく。」との記載、段落【０１０４】の「散薬Ａが収容されている容器の位置を記憶テーブルから検索して、この位置の散薬収容容器１００を散薬容器移送装置８００によって、第１の散薬放出部２００に載置する。」との記載を踏まえると、容器に設けられたＲＦＩＤタグの載置台番号情報から、特定の散薬が収容された容器を第１散薬放出部へ移送する点が記載されているといえる。
　よって、本件発明５に記載される上記事項は明細書の記載を踏まえれば、その具体的な態様を特定することは可能であり、第三者に不測の不利益を及ぼすほどに不明確であるとまではいえない。
　よって、本件発明５は明確性要件に適合する。
６　小括
　したがって、本件発明１、５、６に係る特許は、特許法第２９条第１項第３号、同法第２９条第２項、同法第２９条の２、同法第３６条第６項第１号及び第２号の規定に違反してされたものでなく、同法第１１３条第２号及び第４号に該当しないので、取り消すべきものとすることはできない。
第４　むすび
　以上のとおりであるから、取消理由通知書に記載した取消理由及び特許異議申立書に記載した特許異議申立理由によっては、本件発明１、５、６に係る特許を取り消すことはできない。
　また、他に本件発明１、５、６に係る特許を取り消すべき理由を発見しない。
　特許異議申立人がした本件発明２〜４に係る特許についての特許異議の申立てについては、申立ての対象が存在しないものとなったことから、不適法であって、その補正をすることができないものであり、特許法第１２０条の８第１項で準用する同法第１３５条の規定により却下すべきものである。
　よって、結論のとおり決定する。
【異議決定日】
令和１年１１月５日（２０１９．１１．５）
【訂正の要旨】
審決（決定）の【理由】欄参照。
（５７）【特許請求の範囲】
　【請求項１】
−散薬を収容し、それを排出口から放出できる散薬収容容器と、
−前記散薬収容容器を載置し、そこから散薬を放出できる第１の散薬放出部と、
−前記第１の散薬放出部から放出された散薬を一時保管できる散薬一時保管容器と、
−前記散薬一時保管容器を載置し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記第２の散薬放出部から放出された散薬を包装する散薬包装装置と、
−前記散薬収容容器と前記散薬一時保管容器との両方を載置可能な散薬容器棚と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置とを有
し、
　
更に、前記散薬収容容器と前記散薬一時保管容器との、前記散薬容器棚に載置される部分の形状が同一であり、
　更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置し、
　
更に、前記散薬放出部において計量ミスのあることが判明した前記散薬一時保管容器を前記散薬容器移送装置により、前記散薬容器棚に移送することを特徴と
　【請求項２】
（削除）
　【請求項３】
（削除）
　【請求項４】
（削除）
　【請求項５】
−前記散薬収容容器に付された収容された散薬に関連付けた自動読取可能な符号と、
−前記散薬一時保管容器に付された保管された散薬に関連付けた自動読取可能な符号と、
−前記散薬容器棚、前記散薬計量部、前記第１の散薬放出部、前記第２の散薬放出部のいずれか一つ以上に設けた前記符号を読み取る符号読取部と
を有し、読み取った符号の内容に対応して、前記散薬収容容器または前記散薬一時保管容器の移送先を定めることを特徴とする請求項１に記載の散薬分包機。
　【請求項６】
−収容された散薬を収容し、それを排出口から放出できる散薬収容容器を載置し、そこから散薬を放出できる第１の散薬放出部と、
−前記第１の散薬放出部から放出された散薬を一時保管できる散薬一時保管容器を保持し、前記散薬一時保管容器へ放出された散薬の重量を計測できる散薬計量部と、
−計量済みの散薬の入った前記散薬一時保管容器を載置し、その排出口から散薬を放出できる第２の散薬放出部と、
−前記散薬収容容器と前記散薬一時保管容器との両方を載置可能な散薬容器棚と、
−前記散薬容器棚、前記第１の散薬放出部、前記第２の散薬放出部、及び前記散薬計量部の相互間で、前記散薬収容容器または前記散薬一時保管容器を移送可能な散薬容器移送装置とを有
し、
　
更に、前記散薬収容容器と前記散薬一時保管容器との、前記散薬容器棚に載置される部分の形状が同一であり、
　
更に、前記散薬容器棚に前記散薬収容容器及び／または前記散薬一時保管容器が載置された状態が、機械前面に略平面状に配置され、かつ、前記散薬容器棚に載置された前記散薬収容容器及び／または前記散薬一時保管容器のうち、処置を必要とするものを目視及び脱着の可能な場所に配置し、
　
更に、前記散薬放出部において計量ミスのあることが判明した前記散薬一時保管容器を前記散薬容器移送装置により、前記散薬容器棚に移送することを特徴と